(57)【要約】【課題】動きのある画像データを原作の画像を用いて作成すること。【解決手段】画像データ生成装置であって、当該装置に入力された漫画の原画の画像から、一部分の画像を部分画像として切り出す画像切出部と、前記部分画像を組み合わせることによって、漫画の原画の画像とは一部が異なる新画像を複数生成し、複数の前記新画像を時系列に再生可能とする画像データを生成する画像データ生成部と、を備えることを特徴とする。【選択図】図１
2012018540.tif 000002
【特許請求の範囲】
【請求項１】
入力された漫画の原画の画像から、一部分の画像を部分画像として切り出す画像切出部と、
前記部分画像を組み合わせることによって、漫画の原画の画像とは一部が異なる新画像を複数生成し、複数の前記新画像を時系列に再生可能とする画像データを生成する画像データ生成部と、
を備える画像データ生成装置。
【請求項２】
画像データ生成装置が、入力された漫画の原画の画像から、一部分の画像を部分画像として切り出す画像切出ステップと、
前記画像データ生成装置が、前記部分画像を組み合わせることによって、漫画の原画の画像とは一部が異なる新画像を複数生成し、複数の前記新画像を時系列に再生可能とする画像データを生成する画像データ生成ステップと、
を備える画像データ生成方法。
【発明の詳細な説明】
【技術分野】
【０００１】
本発明は、複数の画像から構成される画像データを作成するための技術に関する。
【背景技術】
【０００２】
従来、携帯端末を利用して、漫画等のストーリー性を有する複数の画像からなる情報を提供できるようにする技術が提案されている。例えば特許文献１に開示された技術では、携帯端末がデータ通信網を介してコミックデータを受信し、受信されたコミックデータに含まれる画像データの画像処理を行い、コミック画像を表示する。また、通信ネットワークを介して画像情報を送信する際に、第三者による不正取得を防止するための技術も提案されている（特許文献２参照）。
【０００３】
このようなコミックデータは、一般的に二つの方法のどちらかによって作成されていた。一の方法では、コミックの原作の各コマの画像を順次表示するような形でコミックデータが作成されていた。上記特許文献１に開示された技術はこの方法に該当する。また、他の方法では、一般的なアニメーションと同様に、コミックデータの作成者がコミックの原作に基づいて新たな複数の画像を書き起こし、複数の画像が連続的に再生されるような形でコミックデータを作成していた。
【先行技術文献】
【特許文献】
【０００４】
【特許文献１】特開２００１−１８８８５５号公報
【特許文献２】特許第３９６１５３９号公報
【発明の概要】
【発明が解決しようとする課題】
【０００５】
しかしながら、上記一の方法では、単に携帯端末を介してコミックの原作を読むことができるのみであった。すなわち、上記一の方法では画像に動きが無いため、ユーザに対する魅力に欠けてしまうという問題があった。また、上記他の方法では、コミックデータの作成者が新たな画像を書き起こす必要があるため、原作の画像とは異なる画像となってしまうという問題があった。
上記事情に鑑み、本発明は、動きのある画像データを原作の画像を用いて作成することが可能となる技術を提供することを目的としている。
【課題を解決するための手段】
【０００６】
本発明の一態様は、画像データ生成装置であって、入力された漫画の原画の画像から、一部分の画像を部分画像として切り出す画像切出部と、前記部分画像を組み合わせることによって、漫画の原画の画像とは一部が異なる新画像を複数生成し、複数の前記新画像を時系列に再生可能とする画像データを生成する画像データ生成部と、を備える。
【０００７】
本発明の一態様は、画像データ生成方法であって、画像データ生成装置が、入力された漫画の原画の画像から、一部分の画像を部分画像として切り出す画像切出ステップと、前記画像データ生成装置が、前記部分画像を組み合わせることによって、漫画の原画の画像とは一部が異なる新画像を複数生成し、複数の前記新画像を時系列に再生可能とする画像データを生成する画像データ生成ステップと、を備える。
【発明の効果】
【０００８】
本発明により、動きのある画像データを原作の画像を用いて作成することが可能となる。
【図面の簡単な説明】
【０００９】
【図１】画像データ生成装置のシステム構成を表すシステム構成図である。
【図２】原画画像の具体例を表す図である。
【図３】部分画像の具体例を表す図である。
【図４】背景の部分画像の修正例を表す図である。
【図５】一般部分画像テーブルの具体例を表す図である。
【図６】目部分画像テーブルの具体例を表す図である。
【図７】口部分画像テーブルの具体例を表す図である。
【図８】吹き出し部分画像テーブルの具体例を表す図である。
【図９】画像データ生成部が表示部を介して画像表示装置に表示させる画面の具体例を表す図である。
【図１０】画像データ生成装置の動作の流れを表すフローチャートである。
【発明を実施するための形態】
【００１０】
図１は、画像データ生成装置１のシステム構成を表すシステム構成図である。画像データ生成装置１は、バスで接続されたＣＰＵ（Central Processing Unit）やメモリや補助記憶装置などを備え、画像データ生成プログラムを実行する。画像データ生成装置１は、画像データ生成プログラムの実行により、入力部１０１、表示部１０２、画像入力部１０３、画像記憶部１０４、画像切出部１０５、部分画像記憶部１０６、部分画像書込部１０７、部分画像提案部１０８、部分画像変形部１０９、画像データ生成部１１０などを備える装置として機能する。なお、画像データ生成装置１の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。
【００１１】
入力部１０１は、キーボード、ポインティングデバイス（マウス、タブレット等）、ボタン、タッチパネル等の既存の入力装置が接続され、データや命令を表す信号の入力を受け付ける。上記の入力装置は、画像データ生成装置１のユーザによって操作される。入力部１０１を介して入力されたデータや命令は、画像切出部１０５、部分画像書込部１０７、部分画像提案部１０８、部分画像変形部１０９、画像データ生成部１１０などに入力される。
【００１２】
表示部１０２は、ＣＲＴ（Cathode Ray Tube）ディスプレイ、液晶ディスプレイ、有機ＥＬ（Electro Luminescence）ディスプレイ等の画像表示装置が接続され、画像表示装置に対して画像信号を出力する。表示部１０２は、画像切出部１０５、部分画像書込部１０７、部分画像提案部１０８、部分画像変形部１０９、画像データ生成部１１０などから出力された画像を、画像表示装置に対して表示させる。
【００１３】
画像入力部１０３は、画像データ生成装置１に対して入力される原画画像情報を受け、画像記憶部１０４に書き込む。画像入力部１０３が受ける原画画像情報は、コミック（漫画）の原画の電子データである。また、原画画像情報によって表される原画の画像を、「原画画像」という。図２は、原画画像の具体例を表す図である。図２において、太線の矩形は、一つのコマを表す枠の線（ワク線）である。ワク線の内側に描かれている画像が、原画画像である。図２の場合、原画画像として、水面、１匹の魚、複数の水しぶき、雲、吹き出し等が描かれている。なお、図２の場合、原画画像として一つのコマの画像のみが表されているが、原画画像として複数のコマの画像が表されても良い。
【００１４】
図１に戻って画像データ生成装置１の説明を続ける。
画像入力部１０３は、原画画像情報を受けることが可能であれば、どのような装置を用いて構成されても良い。例えば、画像入力部１０３は、予め原画画像情報が記録されたＣＤ（Compact Disk）やＤＶＤ（Digital Versatile Disc）等の記録媒体から原画画像情報を読み出すドライブ装置（ＣＤドライブ、ＤＶＤドライブ、ＵＳＢドライブ等）であっても良い。また、画像入力部１０３は、予め原画画像情報が電子データとして記録された半導体記憶装置から原画画像情報を読み出すＵＳＢ（Universal Serial Bus）ポート等のデータ入出力ポートであっても良い。また、画像入力部１０３は、コミックの原画画像が印刷された紙面をスキャニングして原画画像情報を生成するスキャナ装置であっても良い。また、画像入力部１０３は、ＬＡＮ（Local Area Network）やインターネット等の通信ネットワークを介して他の装置から原画画像情報を受信するネットワークインタフェースであっても良い。
【００１５】
画像記憶部１０４は、磁気ハードディスク装置や半導体記憶装置などの記憶装置を用いて構成される。画像記憶部１０４は、画像入力部１０３によって入力された原画画像情報を記憶する。
【００１６】
画像切出部１０５は、画像記憶部１０４に記録されている原画画像から部分画像を切り出し、部分画像情報を生成する。部分画像とは、原画画像中に表されている画像の一部分が切り出されることによって生成される画像である。部分画像は、原画画像中に表されているキャラクターや背景の全体又は一部の画像である。部分画像情報は、部分画像を表す電子データである。画像切出部１０５は、切り出された部分画像に対して、ユーザの操作に応じて修正を行うように構成されても良い。また、画像切出部１０５は、原画画像に着色がなされていない場合には、切り出し前又は切り出し後に、ユーザの操作に応じて画像に対して着色を施すように構成されても良い。
【００１７】
図３は、部分画像の具体例を表す図である。図３では、図２に表される原画画像から複数の部分画像２０−１〜２０−１１が切り出されている。部分画像２０−１は、原画画像中に表されている魚のキャラクターの全体の画像である。部分画像２０−２は、原画画像中に表されている背景のうち、水面を表す部分の画像である。部分画像２０−３は、原画画像中に表されている背景のうち、雲の部分を表す画像である。部分画像２０−４及び２０−５は、原画画像中に表されている背景のうち、一つの水しぶき部分を表す画像である。部分画像２０−６は、原画画像中に表されている背景のうち、複数の水しぶき部分をまとめて表す画像である。部分画像２０−７〜２０−１０は、部分画像２０−１の魚のキャラクターの全体の画像からさらに切り出された胸びれ部分の画像（２０−７及び２０−８）、目部分の画像（２０−９）、口部分の画像（２０−１０）である。部分画像２０−１１は、原画画像中に表されている吹き出し部分の画像である。
【００１８】
図４は、背景の部分画像の修正例を表す図である。背景を表す部分画像は、原画画像において背景の表部分に表されていた画像が切り抜かれることによって生じた空白部分を有していることがある。画像切出部１０５は、このような空白部分を埋めるように修正を行うように構成されても良い。図４Ａは、修正前の部分画像２０−３を表す。図４Ｂは、修正後の部分画像２０−１２を表す。修正前の部分画像２０−３は、部分画像２０−１が切り抜かれることによって生じた空白部分２０−３ａと、部分画像２０−１１が切り抜かれることによって生じた空白部分２０−３ｂと、を有する。これらの空白部分２０−３ａ及び２０−３ｂは、その周囲の色や画像を用いて埋めることによって修正される。また、空白部分の輪郭についても、周囲の輪郭から推定して修正される。このような修正方法によって修正が行われることによって、原画画像の線や色が近い形で再現され、より自然な修正が実現できる。
【００１９】
図１に戻って画像データ生成装置１の説明を続ける。
画像切出部１０５の処理の具体例について説明する。画像切出部１０５は、画像記憶部１０４に記憶されている原画画像を、表示部１０２を介して画像表示装置に表示させる。画像切出部１０５は、入力部１０１を介して入力されるユーザからの位置や線の指定に応じて、画像表示装置に表示されている原画画像から、指定された位置及び線により表される領域の画像を部分画像として切り出す。位置や線の指定は、例えばユーザが入力部１０１を介して画像データ生成装置１に接続されているタブレットやマウスを操作することによって行われる。そして、画像切出部１０５は、切り出された部分画像の電子データである部分画像情報を生成する。
【００２０】
部分画像記憶部１０６は、磁気ハードディスク装置や半導体記憶装置などの記憶装置を用いて構成される。部分画像記憶部１０６は、画像切出部１０６によって切り出された部分画像や、部分画像変形部１０９によって変形された部分画像を、各部分画像に関連する項目の値に対応付けて記憶する。例えば、部分画像記憶部１０６は、一般部分画像テーブル、目部分画像テーブル、口部分画像テーブル、吹き出し部分画像テーブル等を記憶する。
【００２１】
図５は、一般部分画像テーブルの具体例を表す図である。一般部分画像テーブルは、漫画識別情報と、キーワードと、部分画像と、を関連づけたテーブルである。漫画識別情報は、漫画のタイトルを一意に表す識別情報である。漫画識別情報は、各部分画像がどの漫画の原画画像から切り出されたものであるかを表す。キーワードは、各部分画像に関連する文言であり、画像データ生成装置１のユーザによって設定される。
【００２２】
図６は、目部分画像テーブルの具体例を表す図である。目部分画像テーブルは、漫画識別情報と、キャラクター識別情報と、開閉情報と、向き情報と、目部分画像と、を関連づけたテーブルである。目部分画像とは、キャラクターの目の部分を表す部分画像である。漫画識別情報は、一般部分画像テーブルにおける漫画識別情報と同じ情報である。キャラクター識別情報は、漫画に登場するキャラクターを一意に表す識別情報である。キャラクター識別情報は、各目部分画像がどのキャラクターの目の部分画像であるかを表す。開閉情報は、各目部分画像における目が開いているか閉じているかを表す。なお、図６では開閉情報は『開』又は『閉』の２値で表されているが、『１０％開』や『中開き』など、３段階以上の値で表されても良い。向き情報は、各目部分画像における目がどの方向を向いているかを表す。なお、図６では向き情報は『正面』、『上』、『右上』、『右』、『右下』、『下』、『左下』、『左』、『左上』の９方向で表されているが、その他の段階の値で表されても良い。
【００２３】
図７は、口部分画像テーブルの具体例を表す図である。口部分画像テーブルは、漫画識別情報と、キャラクター識別情報と、状態情報と、音情報と、口部分画像と、を関連づけたテーブルである。口部分画像とは、キャラクターの口の部分を表す部分画像である。漫画識別情報は、一般部分画像テーブルにおける漫画識別情報と同じ情報である。キャラクター識別情報は、目部分画像テーブルにおけるキャラクター識別情報と同じ情報である。状態情報は、各口部分画像における口の状態を表す。例えば、笑っている口の場合は『笑』の値が設定され、発声している口の場合は『発声』の値が設定され、不機嫌な状態の口の場合は『不機嫌』の値が設定される。状態情報には、この他にも各種の値が設定されても良い。また、状態情報には、複数の値が設定されても良い。例えば、図７において上から３つ目の口部分画像に対しては、状態情報として『不機嫌』及び『発声』が設定されている。音情報は、各口部分画像における口の状態で発声が行われた場合に想定される発音の音を表す。
【００２４】
図８は、吹き出し部分画像テーブルの具体例を表す図である。吹き出し部分画像テーブルは、漫画識別情報と、吹き出し部分画像とを関連づけたテーブルである。吹き出し部分画像とは、吹き出しの部分を表す部分画像である。漫画識別情報は、一般部分画像テーブルにおける漫画識別情報と同じ情報である。
【００２５】
図１に戻って画像データ生成装置１の説明を続ける。
部分画像書込部１０７は、画像切出部１０５によって切り出された部分画像を、部分画像記憶部１０６のテーブルに登録する。以下、部分画像書込部１０７の処理の具体例について説明する。部分画像書込部１０７は、画像切出部１０５によって切り出された部分画像を、表示部１０２を介して画像表示装置に表示させる。また、部分画像書込部１０７は、表示された部分画像の中から、ユーザによる選択を受け付ける。入力部１０１に接続された入力装置の操作によって部分画像が選択されると、部分画像書込部１０７は、選択された部分画像を、一般部分画像テーブル、目部分画像テーブル、口部分画像テーブル、吹き出し部分画像テーブルのうちどのテーブルに登録するか選択するための画面を画像表示装置に表示させる。例えば、チェックボックス等が表示される。
【００２６】
入力装置の操作によって登録先のテーブルが選択されると、部分画像書込部１０７は、選択されたテーブルの種類に応じて、各項目の値を設定するための画面を画像表示装置に表示させる。各項目の値とは、一般部分画像テーブルにおいては『漫画識別情報』及び『キーワード』であり、目部分画像テーブルにおいては、『漫画識別情報』、『キャラクター識別情報』、『開閉情報』及び『向き情報』であり、口部分画像においては、『漫画識別情報』、『キャラクター識別情報』、『状態情報』及び『音情報』であり、吹き出し部分画像テーブルにおいては『漫画識別情報』である。入力装置の操作によって各項目の値が設定されると、部分画像書込部１０７は、設定された各項目の値及び選択されている部分画像を関連づけて、部分画像記憶部１０６に登録する。
【００２７】
部分画像提案部１０８は、ユーザの必要に応じた部分画像を部分画像記憶部１０６から検索する。そして、部分画像提案部１０８は、検索した部分画像を、表示部１０２を介して画像表示装置に表示させることによってユーザに提案する。以下、部分画像提案部１０８の処理の具体例について説明する。部分画像提案部１０８は、ユーザが必要としている部分画像の種類（一般部分画像、目部分画像、口部分画像、吹き出し部分画像など）を選択させるための画面を、画像表示装置に表示させる。例えば、チェックボックス等が表示される。入力部１０１に接続された入力装置の操作によって部分画像の種類が入力されると、部分画像提案部１０８は、入力された部分画像の種類に応じて、さらに検索に用いられる値を入力させるための画面を画像表示装置に表示させる。
【００２８】
例えば、ユーザが必要としている部分画像が一般部分画像である場合、部分画像提案部１０８は、漫画識別情報及びキーワードを入力させるための画面を画像表示装置に表示させる。入力装置の操作によって漫画識別情報及びキーワードが入力されると、部分画像提案部１０８は、入力された漫画識別情報及びキーワードと、一般部分画像テーブルの漫画識別情報及びキーワードとをマッチングする。そして、部分画像提案部１０８は、漫画識別情報及びキーワードが一致した部分画像を検索結果として、画像表示装置に表示させる。このとき、漫画識別情報及びキーワードが一致した部分画像が複数ある場合、部分画像提案部１０８は複数の部分画像を検索結果として表示させても良い。ユーザは、入力装置を操作することによって、表示された検索結果の中から、画像データの生成に用いる部分画像を選択することができる。
【００２９】
また、ユーザが必要としている部分画像が目部分画像である場合、部分画像提案部１０８は、漫画識別情報と、キャラクター識別情報と、開閉情報と、向き情報とを入力させるための画面を画像表示装置に表示させる。入力装置の操作によって漫画識別情報と、キャラクター識別情報と、開閉情報と、向き情報とが入力されると、部分画像提案部１０８は、入力された各値と、目部分画像テーブルの各項目の値とをマッチングする。そして、部分画像提案部１０８は、各項目の値が一致した目部分画像を検索結果として、画像表示装置に表示させる。このとき、各項目の値が一致した目部分画像が複数ある場合、部分画像提案部１０８は複数の目部分画像を検索結果として表示させても良い。ユーザは、入力装置を操作することによって、表示された検索結果の中から、画像データの生成に用いる目部分画像を選択することができる。
【００３０】
また、ユーザが必要としている部分画像が口部分画像である場合、部分画像提案部１０８は、漫画識別情報と、キャラクター識別情報と、状態情報と、音情報とを入力させるための画面を画像表示装置に表示させる。入力装置の操作によって漫画識別情報と、キャラクター識別情報と、状態情報と、音情報とが入力されると、部分画像提案部１０８は、入力された各値と、口部分画像テーブルの各項目の値とをマッチングする。そして、部分画像提案部１０８は、各項目の値が一致した口部分画像を検索結果として、画像表示装置に表示させる。このとき、各項目の値が一致した口部分画像が複数ある場合、部分画像提案部１０８は複数の口部分画像を検索結果として表示させても良い。ユーザは、入力装置を操作することによって、表示された検索結果の中から、画像データの生成に用いる口部分画像を選択することができる。
【００３１】
また、ユーザが必要としている部分画像が口部分画像である場合、部分画像提案部１０８は、漫画識別情報と、キャラクター識別情報と、キャラクターの吹き出しに表示される台詞とを入力させるための画面を画像表示装置に表示させても良い。入力装置の操作によって漫画識別情報と、キャラクター識別情報と、台詞とが入力されると、部分画像提案部１０８は、入力された漫画識別情報及びキャラクター識別情報に対応する口部分画像を、口部分画像テーブルから検索する。また、部分画像提案部１０８は、入力された台詞に基づいて、台詞の母音の並びを判定する。そして、部分画像提案部１０８は、検索された口部分画像の中から、判定された母音の並びに合った各音情報に応じた口部分画像を順に画像表示装置に表示させる。ユーザは、入力装置を操作することによって、表示された検索結果の中から、画像データの生成に用いる口部分画像を選択することができる。なお、台詞の入力は、入力装置をユーザが操作することによって行われるのではなく、原画画像の吹き出し内に記載されている台詞の画像を文字認識することによって行われても良い。
【００３２】
また、ユーザが必要としている部分画像が吹き出し部分画像である場合、部分画像提案部１０８は、漫画識別情報を入力させるための画面を画像表示装置に表示させる。入力装置の操作によって漫画識別情報が入力されると、部分画像提案部１０８は、入力された漫画識別情報と、吹き出し部分画像テーブルの漫画識別情報とをマッチングする。そして、部分画像提案部１０８は、漫画識別情報が一致した吹き出し部分画像を検索結果として、画像表示装置に表示させる。このとき、漫画識別情報の値が一致した吹き出し部分画像が複数ある場合、部分画像提案部１０８は複数の吹き出し部分画像を検索結果として表示させても良い。ユーザは、入力装置を操作することによって、表示された検索結果の中から、画像データの生成に用いる吹き出し部分画像を選択することができる。
【００３３】
部分画像変形部１０９は、ユーザによって選択された部分画像に対し、ユーザの操作に応じて変形を行う。また、部分画像変形部１０９は、変形後の部分画像を、ユーザの操作に応じて部分画像記憶部１０６に新たに登録する。以下、部分画像変形部１０９の処理の具体例について説明する。部分画像変形部１０９は、ユーザによって選択された部分画像を、表示部１０２を介して画像表示装置に表示させる。部分画像変形部１０９は、入力部１０１に接続された入力装置の操作によって変形の指示がなされると、指示に従って部分画像を変形させる。変形とは、部分画像の一部又は全体に対する既存の画像処理であればどのようなものであっても良い。例えば、輝度を変更する処理、ガウシアンフィルタ等のフィルタリング処理、アフィン変換処理、部分画像の一部分を移動させる処理、部分画像の一部分を他の部分画像に置換する処理などがある。より具体的には、例えば図３に表される部分画像２０−１において、尾ひれ部分を１０度反時計回りに回転させる処理や、目の部分を他の目部分画像に置換する処理や、輪郭を平滑化する処理などが、変形に相当する。部分画像変形部１０９は、入力装置の操作によって登録の指示がなされると、変形後の部分画像を新たに部分画像記憶部１０６に登録する。この登録処理は、部分画像書込部１０７による処理と同様に行われる。
【００３４】
画像データ生成部１１０は、画像記憶部１０４に記憶されている原画画像又は部分画像記憶部１０６に記憶されている部分画像を組み合わせることによって、新たに一つのコマを表す画像（以下、「新画像」という。）を生成する。そして、画像データ生成部１１０は、新画像を時系列に複数並べることによって、複数の新画像を時系列に再生可能とする画像データを生成する。画像データは、どのようなフォーマットのデータとして生成されても良い。例えば、汎用の動画像データフォーマット（例えばＭＰＥＧ４やＤｉｖＸ等）を用いて画像データが生成されても良い。
【００３５】
以下、画像データ生成部１１０の処理の具体例について説明する。図９は、画像データ生成部１１０が表示部１０２を介して画像表示装置に表示させる画面の具体例を表す図である。図９の画面では、左から右方向に時間軸が設定されており、上から下方向にレイヤーが設定されている。符号４０−１〜４０−１３で示されている各矩形内の画像は、一つのレイヤー画像を表している。各レイヤー画像４０は、１又は複数の原画画像又は部分画像を組み合わせることによって生成される。同じ時間で、縦に並ぶ各レイヤー画像４０は、一つの画像（以下、「新画像」という）として重ね合わせて表示される。例えば、図９において最も下方に位置するレイヤー画像４０−４の上に、その一つ上に位置するレイヤー画像４０−３が重ねられる。順にレイヤー画像４０−２，４０−１が重ねられることによって、一つの新画像が生成される。ユーザの設定にしたがって、各新画像が、設定された時間の間表示されるように、画像データ生成部１１０が画像データを生成する。複数の新画像が時間の経過に応じてそれぞれ表示されるような画像データが生成されるため、この画像データを再生した装置では、あたかも画面内で背景やキャラクター等が動いているような画面が再生される。
【００３６】
図１０は、画像データ生成装置１の動作の流れを表すフローチャートである。まず、画像入力部１０３が原画画像情報の入力を受け付ける（ステップＳ１０１）。そして、画像入力部１０３が、画像記憶部１０４に、受け付けた原画画像情報を書き込む。画像記憶部１０４は、画像入力部１０３の書き込みにしたがって、原画画像情報を記憶する（ステップＳ１０２）。次に、ユーザの操作にしたがって、画像切出部１０５が原画画像から部分画像を切り出す（ステップＳ１０３）。次に、部分画像書込部１０７が、ユーザの操作にしたがって、切り出された各部分画像を部分画像記憶部１０６に登録する（ステップＳ１０４）。以上の一連の処理が繰り返されることにより、部分画像記憶部１０６には、画像データ生成装置１に入力された各原画画像から切り出された複数の部分画像が蓄積される。
【００３７】
ユーザが入力装置を操作することによって部分画像の提案を要求すると、部分画像提案部１０８が要求に応じた部分画像を検索し、画像表示装置に表示させる（ステップＳ１０５）。ユーザが、提案された部分画像の中から部分画像を選択し、又は部分画像記憶部１０６に記憶されている部分画像を直接選択し、変形の指示を入力すると、部分画像変形部１０９は指示に応じて選択された部分画像を変形させる（ステップＳ１０７）。
【００３８】
ユーザが入力装置を操作することによって画像データの編集画面の表示を指示すると、画像データ生成部１１０が図９のような画面を画像表示装置に表示させる。ユーザは、入力装置を操作することによって、画像データを生成するために、原画画像又は部分画像を選択し、時間及びレイヤーに対応する位置に選択された画像を配置する（ステップＳ１０７）。そして、ユーザが画像データの生成を指示すると、画像データ生成部１１０は、指示を受けた時点における画像のレイヤー及び時間に対する配置に応じて、画像データを生成する（ステップＳ１０８）。
【００３９】
このように構成された画像データ生成装置１によれば、画像データは、原画画像や原画画像から切り出された部分画像を用いて生成される。そのため、原作の画像を用いて動きのある画像データを生成することが可能となる。したがって、コミックそのものにはなかった動きが再生されるため、ユーザに対する魅力の向上が図られる。さらに、原作の線やタッチがそのまま再現されるため、原作のタッチや雰囲気を喪失してしまうことを防止できる。特に、原作者の筆遣いなどに特徴があるコミックに関しては、上述したような効果が顕著に表れる。
【００４０】
また、従来は、アニメーションの作成時に新たな画像を書き起こす必要があったため、時間とコストがかかってしまうという問題があった。これに対し、画像データ生成装置１を用いることによって、時間やコストを削減することが可能となる。すなわち、新たにアニメーションの画像を作成する必要が無くなるため、時間やコストを削減できる。さらに、部分画像記憶部１０６に蓄積された各テーブルの内容に応じて、ユーザ所望の部分画像が部分画像提案部１０８によって提案される。そのため、大量の部分画像の中からユーザが所望の部分画像を選択する際の時間を削減することが可能となる。
【００４１】
＜変形例＞
画像データ生成装置１は、部分画像提案部１０８を備えないように構成されても良い。この場合、部分画像記憶部１０６は、各テーブルを記憶するのではなく、単に各部分画像のデータを記憶するように構成されても良い。また、この場合、図１０のフローチャートにおけるステップＳ１０５の処理は省略される。
また、部分画像に変形を行う必要が無い場合には、図１０のフローチャートにおけるステップＳ１０６の処理は適宜省略されても良い。
【００４２】
また、画像データ生成装置１に対して接続される入力装置及び画像表示装置は、ネットワークを介して接続されても良い。例えば、画像データ生成装置１とネットワークを介して通信可能な情報処理装置に接続されている入力装置及び画像表示装置が、上述した入力装置及び画像表示装置に相当するように構成されても良い。この場合、画像データ生成装置１には、入力部１０１及び表示部１０２に代えて、情報処理装置と通信するための通信部が設けられ、ユーザの指示を表すデータや表示画面を表すデータはネットワークを介して送受信される。そして、入力部１０１及び表示部１０２は、情報処理装置に対して設けられる。
【００４３】
以上、この発明の実施形態について図面を参照して詳述してきたが、具体的な構成はこの実施形態に限られるものではなく、この発明の要旨を逸脱しない範囲の設計等も含まれる。
【符号の説明】
【００４４】
１…画像データ生成装置，  １０１…入力部，  １０２…表示部，  １０３…画像入力部，  １０４…画像記憶部，  １０５…画像切出部，  １０６…部分画像記憶部，  １０７…部分画像書込部，  １０８…部分画像提案部，  １０９…部分画像変形部，  １１０…画像データ生成部
【図１】
2012018540.tif 000003
【図２】
2012018540.tif 000004
【図３】
2012018540.tif 000005
【図４】
2012018540.tif 000006
【図５】
2012018540.tif 000007
【図６】
2012018540.tif 000008
【図７】
2012018540.tif 000009
【図８】
2012018540.tif 000010
【図９】
2012018540.tif 000011
【図１０】
2012018540.tif 000012